(57)【要約】【課題】貯湯された高温水を最後まで使い切ることが出来るようにした貯湯式給湯装置を提供する。【解決手段】加熱手段２で加熱された温水を貯湯する貯湯タンク１と、該貯湯タンク１に給水を補給する給水管３と、貯湯タンク１上部に連通し高温水を出湯する出湯管４と、この出湯管４から出湯される温水温度を検出する出湯温度センサ１３とを備えたもので、前記出湯温度センサ１３が給湯設定温度以下の温水温度を一定時間以上検出することで、給水管３に備えた遮断弁１５を閉弁させて給湯を停止させるようにしたことにより、貯湯された温水を安心して最後まで使い切ることが出来、経済的であり使用勝手が良いものである。【選択図】  図１
2009138965.tif 000002
【特許請求の範囲】
【請求項１】
加熱手段で加熱された温水を貯湯する貯湯タンクと、該貯湯タンクに給水を補給する給水管と、貯湯タンク上部に連通し高温水を出湯する出湯管と、この出湯管から出湯される温水温度を検出する出湯温度センサとを備えたものに於いて、前記出湯温度センサが給湯設定温度以下の温水温度を一定時間以上検出することで、給水管に備えた遮断弁を閉弁させて給湯を停止させるようにした事を特徴とする貯湯式給湯装置。
【発明の詳細な説明】
【技術分野】
【０００１】
この発明は、貯湯タンクの貯湯温水を最後まで給湯に使用出来る要にした貯湯式給湯装置に関するものである。
【背景技術】
【０００２】
従来よりこの種のものでは、貯湯タンク内の湯水の湯切れを流量調節弁で出湯量を絞ることで抑制し、湯切れまでの時間を長くするものであった。（例えば、特許文献１参照。）
【特許文献１】特開２００１−８２８０６号公報
【発明の開示】
【発明が解決しようとする課題】
【０００３】
ところでこの従来のものでは、貯湯タンクに貯湯された湯水の湯切れまでの時間を延ばすことは出来るが、湯切れは当然発生し湯切れの時に温水から突然冷水に変わる不具合を解消することは出来ないものであった。
【課題を解決するための手段】
【０００４】
この発明はこの点に着目し上記欠点を解決する為、特にその構成を、加熱手段で加熱された温水を貯湯する貯湯タンクと、該貯湯タンクに給水を補給する給水管と、貯湯タンク上部に連通し高温水を出湯する出湯管と、この出湯管から出湯される温水温度を検出する出湯温度センサとを備えたものに於いて、前記出湯温度センサが給湯設定温度以下の温水温度を一定時間以上検出することで、給水管に備えた遮断弁を閉弁させて給湯を停止させるようにしたものである。
【発明の効果】
【０００５】
この発明によれば、湯切れ間近を出湯温度の低下で検知し、遮断弁で給水を停止することで出湯を自動停止させることが出来るので、給湯途中で冷水に変わることがなく、貯湯された温水を安心して最後まで使い切ることが出来、経済的であり使用勝手が良いものである。
【発明を実施するための最良の形態】
【０００６】
次にこの発明の一実施形態を図示した貯湯式給湯装置に基づいて説明する。
１は円筒状の貯湯タンクで、二酸化炭素冷媒を用いたヒーポンユニットから成る加熱手段２を利用し、時間帯別契約電力の電力単価が安価な深夜時間帯に湯水を沸き上げて貯湯するものであり、底部には給水を補給する給水管３が接続し、上部には貯湯した高温水を給湯栓（図示せず）等に出湯する出湯管４が接続されている。
【０００７】
５は一方に出湯管４を、他方には給水管３から分岐した給湯用給水バイパス管６を、中央には給湯管７が接続した電動三方弁から成る給湯用混合弁で、出湯管４からの高温水と給湯用給水バイパス管６からの給水とを混合して、台所リモコン８で設定された給湯設定温度となるようにして供給するものであり、給湯管７に備えた給湯サーミスタ９による給湯温度と給水温度と給湯設定温度から、出湯管４の湯側開度と給湯用給水バイパス管６の水側開度をフィードフォワード制御で調整するものである。
【０００８】
１０は前記給湯用混合弁５と同じく一方には出湯管４を、他方には給湯用給水バイパス管６から分岐した風呂用給水バイパス管１１を、中央を風呂循環回路（図示せず）に接続した電動三方弁から成る風呂用混合弁で、出湯管４からの高温水と風呂用給水バイパス管１１からの給水とを混合して、浴室リモコン１２で設定された風呂設定温度となるようにして湯張りするものであり、出湯温度と給水温度と風呂設定温度とから、出湯管４の湯側開度と風呂用給水バイパス管１１の水側開度をフィードフォワード制御で調整するものである。
【０００９】
１３は出湯管４に備えられ出湯温度を検出するサーミスタから成る出湯温度センサで、出湯温度が給湯設定温度以下を一定時間以上継続、ここでは５秒以上継続することで、給水管３の減圧弁１４より上流側に備えられた遮断弁１５を閉弁させて、給湯を自動停止するものであり、電気回路的には図２に示すように、マイコンから成る給湯制御部１６の入力側に出湯温度センサ１３を接続し、給湯制御部１６に記憶されている給湯設定温度と出湯温度とを比較して、出湯温度が給湯設定温度以下であると給湯制御部１６内のタイマー手段１７がカウントを開始し、一定時間以上ここでは５秒カウントすることで、出力側に接続されている遮断弁１５に信号を送り閉弁させるものである。
【００１０】
又この遮断弁１５は、貯湯タンク１や各配管等からの漏水を検知して給水管３を閉弁する緊急遮断弁も兼用しているもので、こちらの作動を優先させるものである。
更に上記したように出湯温度低下で閉弁した遮断弁１５を開弁させる解除は、台所リモコン８に解除スイッチ１８を設けて行ったり、或いは貯湯タンク１の沸き上げ運転の開始時などのタイミングで行うようにするものである。
【００１１】
１９は貯湯タンク１と加熱手段２とを湯水が循環可能に接続する往き管２０と戻り管２１と循環ポンプ２２とで構成された加熱循環回路である。
２３、２４、２５、２６は貯湯タンク１外周面の上下に備えられた貯湯温度センサであり、２７は給水管３途中に設けられた給水サーミスタであり、２８は出湯管４に備えられた圧力逃がし弁であり、２９は給水管３に設けられた貯湯タンク１側からの逆流を阻止する逆止部である。
【００１２】
次にこの一実施形態の作動について説明する。
今契約電力の深夜時間帯では、加熱循環回路１９によって貯湯タンク１下部の低温水を加熱手段２で沸き上げて、高温水を貯湯タンク１上部に戻し、順次この循環を繰り返して翌朝７時迄に貯湯タンク１内全体に高温水を貯湯するようにするものである。
【００１３】
そして、この貯湯タンク１内の高温水を、給湯用混合弁５で出湯管４からの高温水と給湯用給水バイパス管６からの給水とを混合して、給湯設定温度の温水として給湯に利用するものであり、又風呂用混合弁１０でも出湯管４からの貯湯タンク１内の高温水と、風呂用給水バイパス管１１の給水とを混合して、風呂設定温度の温水として風呂に利用されるものである。
【００１４】
上記のように貯湯タンク１内の高温水が順次使用されることで、貯湯タンク１内の高温水貯湯量が少なくなってきて、高温水が無くなる時には、出湯管４に備えた出湯温度センサ１３による検出出湯温度と、給湯制御部１６に記憶されている給湯設定温度とを比較し、出湯温度が給湯設定温度以下に低下した時、タイマー手段１７がカウントを開始して５秒間継続したことを条件として、遮断弁１５を閉弁させて給水管３を閉じて給湯を自動停止させるものであり、給湯途中で急に冷水が出てくる不具合を確実に防止出来るもので、常に安心して使用できるものである。
【００１５】
更に出湯温度が給湯設定温度以下を一定時間ここでは５秒継続を条件として、遮断弁１５を閉弁することで、一時的な温度低下等による誤動作が防止され、貯湯量がなくなる時に確実に給湯が停止されるものであり、又この給湯停止時には台所リモコン８の表示部に「貯湯量０」を点滅表示して、なぜ給湯が停止したかを報知するようにしても良いものである。
【００１６】
一方この遮断弁１５を開弁させる解除は、台所リモコン８に備えられた解除スイッチ１８を押圧することで、給湯制御部１６から開弁信号が送信され遮断弁１５がいつでも開弁されるものであり、この時台所リモコン８の表示部には、「給湯栓を閉めてください」と言う表示を出して、突然水が噴き出すのを防止するものであり、又この解除スイッチ１８による解除を忘れた場合でも、給湯制御部１６が貯湯タンク１の沸き上げ運転前のタイミングで解除信号を送信して、遮断弁１５を強制的に開弁させて、貯湯タンク１内を満杯状態に維持して沸き上げに支障がないようにするものである。
【図面の簡単な説明】
【００１７】
【図１】この発明の一実施形態を示す貯湯式給湯装置の概略説明図。
【図２】同要部電気回路のブロック図。
【図３】同要部のフローチャート。
【符号の説明】
【００１８】
１  貯湯タンク
２  加熱手段
３  給水管
４  出湯管
１３  出湯温度センサ
１５  遮断弁
【図１】
2009138965.tif 000003
【図２】
2009138965.tif 000004
【図３】
2009138965.tif 000005